(57)【要約】【課題】挟む髪の量に関わらずに髪の毛を纏めることができる髪留め具を提供する。【解決手段】第１挟持部３、第２挟持部１３、及び第１挟持部３と第２挟持部１３の一方の端部に配設されたヒンジ部を備え、ヒンジ部によって第１挟持部３と第２挟持部１３を自在に開閉可能であり、第１挟持部３と第２挟持部１３を閉じることにより髪の毛を挟むものであり、第１挟持部３は、ヒンジ部で固定される第１腕部５、及び、第１腕部５と２回以上交差し且つ第１腕部５に対して可動自在となるように形成された第１自由部材７を備える髪留め具１。【選択図】図１
0003197882.tif 000002
【実用新案登録請求の範囲】
【請求項１】
第１挟持部、第２挟持部、及び前記第１挟持部と前記第２挟持部の一方の端部に配設されたヒンジ部を備え、
前記ヒンジ部によって前記第１挟持部と前記第２挟持部を自在に開閉可能であり、
前記第１挟持部と前記第２挟持部を閉じることにより髪の毛を挟むものであり、
前記第１挟持部は、前記ヒンジ部で固定される第１腕部、及び、前記第１腕部と２回以上交差し且つ前記第１腕部に対して可動自在となるように形成された第１自由部材を備える髪留め具。
【請求項２】
前記第１腕部には、２つの第１腕部貫通孔が形成され、前記第１腕部貫通孔に前記第１自由部材の一方の端部及び他方の端部がそれぞれ挿通されている請求項１に記載の髪留め具。
【請求項３】
前記第１自由部材には、２つの第１自由部材貫通孔が形成され、前記第１自由部材貫通孔の両方に前記第１腕部が挿通されている請求項１に記載の髪留め具。
【請求項４】
前記第１腕部が、湾曲した棒状の部材であり、前記第１自由部材が、湾曲した板状の部材であり、
前記第１自由部材は、湾曲した前記第１腕部とは反対側に湾曲するように配置されている請求項２または３に記載の髪留め具。
【請求項５】
前記第２挟持部は、前記ヒンジ部が固定される第２腕部、及び、前記第２腕部と２回以上交差し且つ前記第２腕部に対して可動自在となるように形成された第２自由部材を備える請求項１〜４のいずれか一項に記載の髪留め具。
【請求項６】
前記第２腕部には、２つの第２腕部貫通孔が形成され、前記第２腕部貫通孔に前記第２自由部材の一方の端部及び他方の端部がそれぞれ挿通されている請求項５に記載の髪留め具。
【請求項７】
前記第２自由部材には、２つの第２自由部材貫通孔が形成され、前記第２自由部材貫通孔の両方に前記第２腕部が挿通されている請求項５に記載の髪留め具。
【請求項８】
前記第２腕部が、湾曲した棒状の部材であり、前記第２自由部材が、湾曲した板状の部材であり、
前記第２自由部材は、湾曲した前記第２腕部とは反対側に湾曲するように配置されている請求項６または７に記載の髪留め具。
【考案の詳細な説明】
【技術分野】
【０００１】
本考案は、髪留め具に関し、更に詳しくは、挟む髪の量に関わらずに髪の毛を纏めることができる髪留め具に関する。
【背景技術】
【０００２】
従来、ヘアーピン、バレッタなどの、髪の毛を挟んで留める留め具（髪留め具）が知られている。この髪留め具は、例えば、髪の毛を挟んだ際に髪の毛から滑り落ちることを防止するために髪の毛との接触面にシリコーンゴム等のゴム弾性材からなる滑り止めが配置されているものが知られている（特許文献１参照）。
【先行技術文献】
【特許文献】
【０００３】
【特許文献１】実用新案登録第３０３１２１２号公報
【考案の概要】
【考案が解決しようとする課題】
【０００４】
しかしながら、上記髪留め具は、挟む髪の毛の量が多くなると、十分に髪の毛を挟むことができずに髪の毛から滑り落ちることがある。また、挟む髪の毛が少ない場合にも同様に髪の毛から滑り落ちることがある。
【０００５】
本考案は、このような従来技術の有する問題点に鑑みてなされたものである。本考案の課題とするところは、挟む髪の量に関わらずに髪の毛を纏めることができ、さらに、挟み込む髪にダメージを与え難い髪留め具を提供する。
【課題を解決するための手段】
【０００６】
本考案によれば、以下に示す、髪留め具が提供される。
【０００７】
［１］  第１挟持部、第２挟持部、及び前記第１挟持部と前記第２挟持部の一方の端部に配設されたヒンジ部を備え、前記ヒンジ部によって前記第１挟持部と前記第２挟持部を自在に開閉可能であり、前記第１挟持部と前記第２挟持部を閉じることにより髪の毛を挟むものであり、前記第１挟持部は、前記ヒンジ部で固定される第１腕部、及び、前記第１腕部と２回以上交差し且つ前記第１腕部に対して可動自在となるように形成された第１自由部材を備える髪留め具。
【０００８】
［２］  前記第１腕部には、２つの第１腕部貫通孔が形成され、前記第１腕部貫通孔に前記第１自由部材の一方の端部及び他方の端部がそれぞれ挿通されている前記［１］に記載の髪留め具。
【０００９】
［３］  前記第１自由部材には、２つの第１自由部材貫通孔が形成され、前記第１自由部材貫通孔の両方に前記第１腕部が挿通されている前記［１］に記載の髪留め具。
【００１０】
［４］  前記第１腕部が、湾曲した棒状の部材であり、前記第１自由部材が、湾曲した板状の部材であり、前記第１自由部材は、湾曲した前記第１腕部とは反対側に湾曲するように配置されている前記［２］または［３］に記載の髪留め具。
【００１１】
［５］  前記第２挟持部は、前記ヒンジ部が固定される第２腕部、及び、前記第２腕部と２回以上交差し且つ前記第２腕部に対して可動自在となるように形成された第２自由部材を備える前記［１］〜［４］のいずれかに記載の髪留め具。
【００１２】
［６］  前記第２腕部には、２つの第２腕部貫通孔が形成され、前記第２腕部貫通孔に前記第２自由部材の一方の端部及び他方の端部がそれぞれ挿通されている前記［５］に記載の髪留め具。
【００１３】
［７］  前記第２自由部材には、２つの第２自由部材貫通孔が形成され、前記第２自由部材貫通孔の両方に前記第２腕部が挿通されている前記［５］に記載の髪留め具。
【００１４】
［８］  前記第２腕部が、湾曲した棒状の部材であり、前記第２自由部材が、湾曲した板状の部材であり、前記第２自由部材は、湾曲した前記第２腕部とは反対側に湾曲するように配置されている前記［６］または［７］に記載の髪留め具。
【考案の効果】
【００１５】
本考案の髪留め具は、挟む髪の量に関わらずに髪の毛を纏めることができ、さらに、挟み込む髪にダメージを与え難いものである。
【図面の簡単な説明】
【００１６】
【図１】本考案の髪留め具の一の実施形態を模式的に示す斜視図である。
【図２】本考案の髪留め具の一の実施形態を模式的に示す背面図である。
【図３】本考案の髪留め具の一の実施形態を模式的に示す正面図である。
【図４】本考案の髪留め具の一の実施形態を模式的に示す平面図である。
【図５】本考案の髪留め具の他の実施形態を模式的に示す斜視図である。
【図６】本考案の髪留め具の他の実施形態を模式的に示す正面図である。
【図７】本考案の髪留め具の他の実施形態を模式的に示す平面図である。
【図８】本考案の髪留め具の他の実施形態を模式的に示す背面図である。
【図９】本考案の髪留め具の更に他の実施形態を模式的に示す斜視図である。
【図１０】本考案の髪留め具の更に他の実施形態を模式的に示す平面図である。
【図１１】本考案の髪留め具の更に他の実施形態を模式的に示す斜視図である。
【図１２】本考案の髪留め具の更に他の実施形態を模式的に示す平面図である。
【図１３】本考案の髪留め具の更に他の実施形態を模式的に示す斜視図である。
【図１４】本考案の髪留め具の更に他の実施形態を模式的に示す背面図である。
【図１５】本考案の髪留め具の更に他の実施形態を模式的に示す平面図である。
【図１６】本考案の髪留め具の更に他の実施形態を模式的に示す斜視図である。
【図１７】本考案の髪留め具の更に他の実施形態を模式的に示す平面図である。
【考案を実施するための形態】
【００１７】
以下、本考案の実施の形態について説明するが、本考案は以下の実施の形態に限定されるものではなく、本考案の趣旨を逸脱しない範囲で、当業者の通常の知識に基づいて、以下の実施の形態に対し適宜変更、改良等が加えられたものも本考案の範囲に入ることが理解されるべきである。
【００１８】
［１］髪留め具：
本考案の髪留め具の一実施形態は、図１〜図４に示す髪留め具１である。髪留め具１は、第１挟持部３、第２挟持部１３、及び第１挟持部３と第２挟持部１３の一方の端部に配設されたヒンジ部２１を備えている。そして、この髪留め具１は、ヒンジ部２１によって第１挟持部３と第２挟持部１３を自在に開閉可能であり、第１挟持部３と第２挟持部１３を閉じることにより髪の毛を挟むものである。髪留め具１の第１挟持部３は、ヒンジ部２１で固定される第１腕部５、及び、第１腕部５と２回以上交差し且つ第１腕部５に対して可動自在となるように形成された第１自由部材７を備えている。
【００１９】
この髪留め具１は、挟む髪の量に関わらずに髪の毛を纏めることができる。さらに、髪留め具１は、挟み込む髪にダメージを与え難いものである。
【００２０】
従来、バレッタなどの髪留め具は、挟み込む髪の毛の量が適当でないと、髪留め具が髪の毛から滑り落ちることがあった。そのため、このような問題を解消するために髪の毛との接触面にシリコーンゴム等のゴム弾性材からなる滑り止めが配置されている。一方、本考案の髪留め具は、多くの髪の毛を挟む際には、可動自在な自由部材が適宜変形（大きく変形）して髪の毛に留まる。また、本考案の髪留め具は、挟む髪の毛の量が少ない場合にも、可動自在な自由部材が適度に変形して良好に髪の毛に留まる。
【００２１】
そして、自由部材が適度に変形するため、挟み込んだ髪の毛に対して無理な力を加えないことになるので、髪にダメージを与え難くなる。
【００２２】
［１−１］第１挟持部：
図１〜図４に示されるように、第１挟持部３は、ヒンジ部２１によって開閉自在に第２挟持部１３と連結され、第１挟持部３と第２挟持部１３を閉じることにより髪の毛を挟むための部材として、本考案の髪留め具１を構成している。すなわち、第１挟持部３と、第２挟持部１３は、ヒンジ部２１を軸にして回動自在に開閉するように構成されている。そして、第１挟持部３と第２挟持部１３が開いた状態で、第１挟持部３と第２挟持部１３と間に髪の毛を入れる。その後、第１挟持部３と第２挟持部１３とが閉じて、髪の毛をその間に挟持できる（挟み込みできる）ように構成されている。さらに、第１挟持部３と第２挟持部１３が閉じた状態から、再び、第１挟持部３と第２挟持部１３が開いた状態にすると、髪の毛が挟持された（挟み込まれた）状態から解除（解放）されることになる。
【００２３】
この第１挟持部３は、図１〜図４に示されるように、第１腕部５及び第１自由部材７を備えている。
【００２４】
［１−１−１］第１腕部：
図１〜図４に示されるように、第１腕部５は、第１挟持部３を構成する部材の一つである。この第１腕部５は、第１自由部材７と２回以上交差するように構成されている。そして、第１腕部５は、後述の第１自由部材７に対し支持部材としての役割を果たしている。さらに、第１腕部５は、第１自由部材７と協働して、髪の毛を纏める際に、髪へのダメージを軽減させるための緩衝部材としての役割を果たすこともある。
【００２５】
「２回以上交差」とは、第１腕部が、第１自由部材と任意の２箇所で交わることを意味する。具体的には、この「２回以上交差」には、以下のような例を挙げることができる。ただし、下記の例に限定されるものではない。
【００２６】
図１〜図４に示される髪留め具１Ａのように、第１自由部材７に、第１自由部材貫通孔７ａを２箇所形成し、この第１自由部材貫通孔７ａの両方に第１腕部５を挿通することで、第１腕部５と第１自由部材７とが所定の２箇所で位置関係が逆になる（交差する）もの（紙面手前側と紙面奥側で逆になるもの）が挙げられる。
【００２７】
また、図５〜図８に示される髪留め具１Ｂのように、第１腕部５に、第１腕部貫通孔５ａを２箇所形成し、この第１腕部貫通孔５ａに第１自由部材７の両端を挿入することで、第１腕部５と第１自由部材７とが所定の２箇所で位置関係が逆になる（交差する）もの（紙面手前側と紙面奥側で逆になるもの）が挙げられる。
【００２８】
また、図９〜図１２に示される髪留め具１Ｃ，１Ｄのように、第１腕部５に、第１腕部貫通孔５ａを形成するとともに、第１自由部材７に第１自由部材貫通孔７ａを形成する。そして、第１腕部貫通孔５ａに第１自由部材７を挿通すると共に、第１自由部材貫通孔７ａに第１腕部５を挿通させる。このように、第１腕部５と第１自由部材７とが所定の２箇所で位置関係が逆になる（交差する）もの（紙面手前側と紙面奥側で逆になるもの）が挙げられる。
【００２９】
また、図１３〜図１５に示される髪留め具１Ｅのように、ヒンジ部２１と反対側に位置する第１腕部５の端部をリング形状にして第１腕部リング状部５ｂを形成すると共に、ヒンジ部２１側に位置する第１自由部材７の端部をリング形状にして第１自由部材リング状部７ｂを形成する。そして、第１腕部リング状部５ｂに、第１自由部材７を挿通すると共に、第１自由部材リング状部７ｂに第１腕部５を挿通させる。このようにして、第１腕部５と第１自由部材７とが所定の２箇所で位置関係が逆になる（交差する）もの（紙面手前側と紙面奥側で逆になるもの）が挙げられる。なお、このリング形状には、完全にリング形状（輪）となっているものの他、スリットが形成され、不完全なリング形状となっていない形状も含まれる。
【００３０】
さらに、図１６、図１７に示される髪留め具１Ｆのように、第１腕部５の２箇所を曲げて波線状に形成するとともに、第１自由部材７の２箇所を曲げて波線状にする。そして、第１腕部５の波線状における凹凸部分と第１自由部材の波線状における凹凸部分を組合わせる。このようにして、第１腕部５と第１自由部材７とが所定の２箇所で位置関係が逆になる（交差する）もの（紙面手前側と紙面奥側で逆になるもの）が挙げられる。
【００３１】
第１腕部の形状については、特に限定されるものではなく、例えば、以下のような形状とすることができる。ただし、下記の例に限定されるものではない。
【００３２】
図１〜図４に示される髪留め具１Ａのように、第１腕部５における固定部２３が鉤状に形成され、ヒンジ部２１に接続された端部からこの固定部までの部分を緩やかな弧を描くような細長い矩形状の第１腕部５を例示できる。
【００３３】
また、図５〜図８に示される髪留め具１Ｂのように、固定部２３が鉤状に形成され、細長い矩形状の２箇所に第１腕部貫通孔５ａが形成された第１腕部５を例示できる。
【００３４】
さらに、図１〜図１７に示される髪留め具１のように、ヒンジ部２１を介して、第１挟持部３と第２挟持部１３を閉じた際に、第１腕部５と第２腕部１５とが反対側に湾曲するものであってもよい。
【００３５】
また、図９、図１０に示される髪留め具１Ｃのように、固定部２３が鉤状に形成され、ヒンジ部２１に接続された端部からこの固定部２３までの部分の間の２箇所をリング形状に形成し、このリング形状の部分を第１腕部貫通孔５ａとする第１腕部５であってもよい。
【００３６】
また、図１１、図１２に示される髪留め具１Ｄのように、固定部２３が鉤状に形成され、ヒンジ部２１に接続された端部からこの固定部２３までの部分のうち、ヒンジ部２１側の１箇所をリング形状に形成し、このリング形状の部分を第１腕部貫通孔５ａとする。そして、このリング形状の余りの部分から固定部２３までが細長い棒状に形成されてもよい。
【００３７】
また、図１３〜図１５に示される髪留め具１Ｅのように、ヒンジ部２１に接続された端部から、ヒンジ部２１と反対側の端部までの部分のうち、ヒンジ部２１と反対側の端部の１箇所をリング形状に形成し、このリング形状の部分を第１腕部リング状部として備える第１腕部５であってもよい。なお、この１腕部リング状部の形状には、完全にリング（輪）となっているものの他、スリットが形成され、不完全なリングとなっていない形状も含まれる。
【００３８】
また、図１６、図１７に示される髪留め具１Ｆのように、ヒンジ部２１に接続された端部から固定部２３までに、第１腕部５が波線状をなすように凹凸部分が形成された第１腕部５であってもよい。
【００３９】
第１腕部の大きさ等については、特に限定されるものではないが、後述の第２腕部、ヒンジ部とバランスがとれるものが好ましい。さらに、第１腕部の材質についても特に限定されるものではない。例えば、木製材料、合成材料、金属、布、紙等を挙げることができる。
【００４０】
［１−１−１−１］第１腕部貫通孔：
第１腕部５には、図５〜図８に示される髪留め具１（髪留め具１Ｂ）のように、２つの第１腕部貫通孔５ａ，５ａが形成され、第１腕部貫通孔５ａ，５ａに第１自由部材７の一方の端部及び他方の端部がそれぞれ挿通されていることが好ましい。このように構成されることにより、この第１自由部材７の一方の端部及び他方の端部の所定箇所が、この第１腕部貫通孔５ａを形成する周縁に、接触（当接）しやすくなる。そのため、この接触（当接）により、第１自由部材７の可動をコントロールしやすくなる。その結果、挟む髪の量に関わらずに髪の毛を確実に纏めながら、挟み込む髪へのダメージを最小限に軽減させることができる。
【００４１】
すなわち、第１自由部材７が「可動自在」に構成される場合においても、支持部材である第１腕部５に対して、限度を超えて無制限に可動するものであると、例えば、第１自由部材７が第１腕部５に適度に支持されない状態となる。そのため、髪の毛を纏め難くなる。また、第１自由部材７が限度を超えて無制限に可動する場合には、第１自由部材７が第１腕部５に全く支持されない状態となって、第１自由部材７が第１腕部５から脱落したりする場合もある。更に、第１腕部と第１自由部材の２箇所以上の交差する領域で、第１自由部材が髪の毛を纏める際の緩衝部材となるが、第１自由部材７が限度を超えて無制限に可動することで、第１腕部と第１自由部材の交差する領域外（予定して交差領域と異なる領域（初期の交差領域外））に外れてしまう場合もある。その結果、第１自由部材が可動し難くなる結果、第１自由部材が髪の毛を纏める際の緩衝部材とならずに、第１腕部と第１自由部材とが干渉し合う場合がある。この場合、髪の毛を纏め難くなるおそれがある。その結果、髪へのダメージを生じさせる懸念もある。したがって、所期の交差する領域内に留まるように自由部材の動きをある程度制御できるようにすることがよい。そして、第１腕部貫通孔５ａを形成することで、髪の毛を確実に纏めながら、纏める際に髪へのダメージを最小限に抑えることが好ましい。
【００４２】
具体的には、図５〜図８に示される髪留め具１Ｂでは、第１腕部５に第１腕部貫通孔５ａ，５ａが２箇所形成され、第１腕部貫通孔５ａ，５ａに第１自由部材７が挿通されている。この髪留め具１Ｂによって、この髪留め具１Ｂに挟み込みできる量のある程度のボリュームのある髪の毛を挟み込んだ際には、この第１自由部材７は、第１腕部５側へ第１自由部材７が挟み込まれた髪の毛に押される。そのため、第１腕部貫通孔５ａを介して第１自由部材の両端部が、第１腕部５側へスライドする（ずれる）ことになる。その結果、髪の毛と第１腕部５との緩衝部材として第１自由部材７が機能することになり、髪の毛へのダメージを軽減させることができる。さらに、第１腕部５への第１自由部材の挿通が嵌合（嵌り合って）する場合においても、図５〜図８に示される第１自由部材７のように、第１自由部材が湾曲に形成され、且つ、この湾曲部分が挟み込まれた髪の毛によって、更に第１腕部５側に湾曲できるように形成されていることが好ましい。このように形成されることで、髪の毛と第１腕部との緩衝部材として第１自由部材７が機能する。そのため、髪の毛へのダメージを軽減させることができる。
【００４３】
上記「第１自由部材の一方の端部及び他方の端部」とは、第１自由部材７の両側にある端部のそれぞれを意味する。ただし、この「一方の端部又は他方の端部」には、第１自由部材の端から端までの両端部間の少なくとも２箇所で挿通される場合のそれぞれの端部も含まれる。また、この「一方の端部又は他方の端部」には、第１自由部材の一方の端部側の２箇所で挿通される場合のそれぞれの端部も含まれる。さらに、この「一方の端部又は他方の端部」には、第１自由部材の他方の端部側の２箇所で、２つの第１腕部貫通孔に第１自由部材が挿通され場合のそれぞれの端部も含まれる。同様に、第１自由部材の端から端までの両端部間の略中央の２箇所で挿通される場合のそれぞれの端部も含まれる。さらに、３か所以上の第１腕部貫通孔が形成される場合にも同様である。
【００４４】
上記「挿通」とは、図５〜図８に示されるように、第１腕部貫通孔５ａに第１自由部材７が挿し通されている状態を意味する。この「挿し通されている状態」であれば特に限定されるものはないが、髪の毛を挟み込んだ際に、第１自由部材７が可動する程度の遊びができる状態で第１腕部貫通孔５ａが形成されることが好ましい。例えば、第１腕部貫通孔５ａに、遊びがない状態で第１自由部材７が挿通し、第１腕部貫通孔５ａと第１自由部材７とが嵌合している場合では、反ったり屈曲したりすることで第１自由部材７が可動する。ただし、金属等の材質や、剛性がある材料等から第１腕部及び第１自由部材等を形成する場合には、十分に反ったり屈曲したりし難い場合もあり得る。そのため、第１自由部材が、第１腕部貫通孔内を適度にずれたりスライドしたりする程度の遊びがあると、髪へのダメージをより軽減できる。
【００４５】
なお、第１腕部貫通孔の孔形状は特に限定されるものではなく、平面視、円形状、楕円形状、三角形状、矩形状、台形状、多角形状、及びこれらの組み合わせから形状等を挙げることができる。そして、第１自由部材の断面形状よりも大きい相似形状であることが好ましい。この場合、第１腕部貫通孔に第１自由部材を挿通し、且つ、この第１腕部に第１自由部材の可動を干渉させて、この第１自由部材の動きをある程度制御しやすくなる。
【００４６】
さらに、第１腕部に第１腕部貫通孔が形成される際のこの貫通孔の数は少なくとも２つ形成されていればよく、更に３つ以上でもよい。さらに、第１腕部貫通孔が第１腕部に２つ以上形成される場合には、それぞれの貫通孔が同じ大きさや形状になるように第１腕部貫通孔が形成されていてもよいし、異なる大きさや形状からなる第１腕部貫通孔に形成されてもよい。
【００４７】
［１−１−２］第１自由部材：
第１自由部材は、図５〜図８に示されるように、第１挟持部３を構成する部材の一つであり、第１腕部５に対して２回以上交差し、且つ可動自在になるように配置された部材である。すなわち、この第１自由部材は、支持部材に可動自在に支えられる部材である。この第１自由部材が可動することにより、挟む髪の量に関わらずに髪の毛を纏めることができ、さらに、挟み込む髪にダメージを与えない役割を果たす。
【００４８】
上記「可動自在」とは、支持部材である第１腕部に対して自在に動くことを意味する。ただし、第１自由部材７が「可動自在」に構成される場合においても、上記「第１腕部貫通孔」で上述したように所期の交差する領域内に留まるように、自由部材の動きはある程度制御されることが好ましい。このようにすることで、第１自由部材７が緩衝部材としての役割を果たすことができ、髪の毛を確実に纏めながら、纏める際に髪へのダメージを最小限に抑えることができる。
【００４９】
この自由部材の可動には、例えば、髪の毛を挟み込む前と髪の毛を挟み込んだ後では、第１自由部材が、第１腕部に対して接触したり離れたりするような動きの変化をすることが挙げられる。また、第１自由部材が、第１腕部に対して離間する間隔が変化するものが挙げられる。さらに、第１自由部材が、第１腕部に対して遊動して動きの変化をするもの等が挙げられる。ただし、この例に限定されるものではない。さらに、髪の毛を挟み込む前と髪の毛を挟み込んだ後を対比した際に、第１自由部材が反ったり屈曲したりすることで第１自由部材が可動する場合においても、上記「可動自在」に含まれる。
【００５０】
第１自由部材が「２回以上交差」する例としては、上記「第１腕部」で、既に説明したため、その説明を参照されたい。
【００５１】
第１自由部材の形状については、特に限定されるものではなく、例えば、以下のものを例示することができる。ただし、下記の例に限定されるものではない。
【００５２】
図１〜図４に示される髪留め具１Ａのように、矩形状の部材の両端部と、この両端部の略中央が両端部の幅に比べて絞り込まれた形状であって、さらに、略中央の左右に第１自由部材貫通孔７ａが形成された第１自由部材７を挙げることができる。
【００５３】
また、図５〜図８に示される髪留め具１Ｂのように、第１自由部材７は、第１腕部５の第１腕部貫通孔５ａに挿通できる幅狭の棒状部材を挙げることができる。
【００５４】
さらに、第１自由部材７は、図１〜図１７に示される髪留め具１のように、ヒンジ部２１を介して、第１挟持部３と第２挟持部１３を閉じた際に、第１腕部５とは反対側に湾曲するものであってもよい。
【００５５】
また、図９、図１０に示される髪留め具１Ｃのように、固定部２３が鉤状に形成され、ヒンジ部２１側に形成される端部からこの固定部２３までの部分の間の２箇所をリング形状に形成し、このリング形状の部分を第１自由部材貫通孔７ａとする第１自由部材７であってもよい。
【００５６】
また、図１１、図１２に示される髪留め具１Ｄのように、ヒンジ部２１側に形成される他端部が第１腕部５に挿通できる幅狭の棒状部分であって、この棒状部分からこの固定部２３までの部分のうち、この固定部２３側の１箇所をリング形状に形成し、このリング状の部分を第１自由部材貫通孔７ａとするものであってもよい。この場合には、第１自由部材貫通孔７ａに、第１腕部５が挿通されることになる。
【００５７】
また、図１３〜図１５に示される髪留め具１Ｅのように、ヒンジ部２１側の端部から、ヒンジ部２１と反対側の固定部２３までの部分のうち、ヒンジ部２１側の端部の１箇所をリング形状に形成し、このリング形状の部分を第１自由部材リング状部７ｂとして備える第１自由部材７であってもよい。なお、この第１自由部材リング状部７ｂの形状には、完全にリング（輪）となっているものの他、スリットが形成され、不完全なリングとなっていない形状も含まれる。
【００５８】
また、図１６、図１７に示される髪留め具１Ｆのように、ヒンジ部２１側に形成される端部から、固定部２３側の端部まで、第１自由部材７が波線状をなすように凹凸部分が形成されたものであってもよい。
【００５９】
なお、第１自由部材の大きさ等については、特に限定されるものではないが、第１腕部、及びヒンジ部とバランスがとれるものが好ましい。
【００６０】
さらに、第１自由部材の材質についても特に限定されるものではない。例えば、木製材料、合成材料、金属、布、紙等を挙げることができる。
【００６１】
［１−１−２−１］第１自由部材貫通孔：
さらに、図１〜図４に示される髪留め具１（髪留め具１Ａ）のように、第１自由部材７には、２つの第１自由部材貫通孔７ａ，７ａが形成され、この第１自由部材貫通孔７ａ，７ａに第１腕部５が挿通されていることが好ましい。このように構成されることにより、第１自由部材貫通孔７ａを形成する周縁に、第１腕部５の所定箇所が接触（当接）しやすくなる。そのため、この接触（当接）により、第１自由部材７自身の可動をコントロールしやすくなる。その結果、挟む髪の量に関わらずに髪の毛を確実に纏めながら、挟み込む髪へのダメージを最小限に軽減させることができる。
【００６２】
具体的には、図１〜図４に示される髪留め具１Ａでは、第１自由部材７に第１自由部材貫通孔７ａ，７ａが２箇所形成され、第１自由部材貫通孔７ａ，７ａに第１腕部５が挿通されている。この髪留め具１Ａによって、この髪留め具１Ａに挟み込みできる量のある程度ボリュームのある髪の毛を挟み込んだ際には、この第１自由部材７は、第１腕部５側へ第１自由部材７が挟み込まれた髪の毛に押される。そのため、第１自由部材貫通孔７ａを介して第１自由部材７の両端部が第１腕部５側へスライドする（ずれる）ことになる。その結果、髪の毛と第１腕部５との緩衝部材として第１自由部材７が機能し、髪の毛へのダメージを軽減させることができる。さらに、第１自由部材７の第１自由部材貫通孔７ａ，７ａに第１腕部５が嵌合（嵌り合って）する場合においても、図１〜図４に示される第１自由部材７のように、第１自由部材７が湾曲に形成され、且つ、この湾曲部分が挟み込まれた髪の毛によって、更に第１腕部５側に湾曲できるように形成されていることが好ましい。このように形成されることで、第１自由部材７が、髪の毛と第１腕部との緩衝部材として機能するため、髪の毛へのダメージを軽減させることができる。
【００６３】
上記「第１自由部材貫通孔の両方に」とは、第１自由部材７に形成される２つの第１自由部材貫通孔を意味する。なお、第１自由部材７における２つの第１自由部材貫通孔７ａ，７ａの形成位置は、第１自由部材７の端から端までの間の少なくとも２箇所であればよい。例えば、第１自由部材７の一方の端部側の２箇所にこの第１自由部材貫通孔７ａ，７ａを２つ形成し、これらに第１腕部５が挿通されていてもよい。また、第１自由部材７の他方の端部側の２箇所にこの第１自由部材貫通孔７ａ，７ａを２つ形成し、これらに第１腕部５が挿通されていてもよい。また、第１自由部材７の端から端までの両端部間の略中央の２箇所で第１自由部材貫通孔７ａ，７ａを２つ形成し、これらに第１腕部５が挿通されていてもよい。さらに、３か所以上の第１自由部材貫通孔が形成される場合にも同様である。
【００６４】
上記「挿通」とは、図１〜図４に示されるように、第１自由部材貫通孔７ａに第１腕部５が挿し通されている状態を意味する。この「挿し通されている状態」であれば、特に限定されるものはないが、髪の毛を挟み込んだ際に、第１自由部材７が可動する程度の遊びができる状態で第１自由部材貫通孔７ａが形成されること好ましい。例えば、第１自由部材貫通孔７ａに、遊びがない状態で第１腕部５が挿通し、第１自由部材貫通孔７ａと第１腕部５とが嵌合している場合では、反ったり屈曲したりすることで第１自由部材７が可動する。ただし、金属等の材質や、剛性がある材料等から第１腕部及び第１自由部材等を形成する場合には、十分に反ったり屈曲したりし難い場合もあり得る。そのため、第１自由部材貫通孔内を介して、第１自由部材が第１腕部に沿って、ずれたりスライドしたりする程度の遊びがあると、髪へのダメージをより軽減できる。
【００６５】
なお、第１自由部材貫通孔の孔形状は、特に限定されるものではなく、平面視、円形状、楕円形状、三角形状、矩形状、台形上、多角形状、及びこれらの組み合わせからなる形状等を挙げることができる。そして、上記孔形状は、第１腕部の断面形状よりも大きい相似形状であることが好ましい。このようにすると、第１自由部材貫通孔に第１腕部を挿通し、且つ、この第１自由部材の可動をこの第１腕部に干渉させて、この第１自由部材の動きをある程度制御しやすい。
【００６６】
さらに、この第１自由部材貫通孔の数は、少なくとも２つ形成されていればよく、更に３つ以上でもよい。さらに、第１自由部材貫通孔が第１自由部材に２つ以上形成される場合には、それぞれの貫通孔が同じ大きさや形状になるように第１自由部材貫通孔が形成されていてもよいし、異なる大きさや形状からなる第１自由部材貫通孔に形成されてもよい。
【００６７】
［１−１−３］第１腕部及び第１自由部材のその他の構成：
なお、第１自由部材の可動は、図１〜図４に示される髪留め具１Ａ、図５〜図８に示される髪留め具１Ｂについては、上述した通りである。
【００６８】
さらに、図９、図１０に示される髪留め具１Ｃでは、部材の２箇所をリング形状に形成した第１自由部材貫通孔７ａを備える第１自由部材７と、部材の２箇所をリング形状に形成した第１腕部貫通孔５ａを備える第１腕部５を備える。この髪留め具１Ｃでは、第１自由部材７がずれる（スライドできる）。このように第１自由部材７がずれる（スライドできる）ことによって、髪の毛にダメージを与えずにある程度のボリュームの髪の毛を纏めることができる。
【００６９】
また、図１１、図１２に示される髪留め具１Ｄでは、第１自由部材７の棒状部分であって、第１腕部５に挿通される幅狭の部分が、ヒンジ部２１側の方向或いは固定部２３側の方向にずれる（スライドできる）。これによって、髪の毛にダメージを与えずにある程度のボリュームの髪の毛を纏めることができる。さらに、上記幅狭の部分は、第１腕部貫通孔５ａ側に向かって適度に曲がる。そのため、このように上記幅狭の部分が適度に曲がることでも、髪の毛にダメージを与えずにある程度のボリュームの髪の毛を纏めることができる。
【００７０】
また、図１３〜図１５に示される髪留め具１Ｅでは、第１腕部リング状部５ｂ及び第１自由部材リング状部７ｂが最も近接する部分を中央にして、それぞれが第２挟持部側、及びこの第２挟持部側と反対方向側へ、遊動できるように可動可能となる。
【００７１】
また、図１６、図１７に示される髪留め具１Ｆでは、第１自由部材７がその延びる方向にずれる（スライドする）ように可動することができる。
【００７２】
ただし、上記例に限定されるものではない。なお、上記例は、第２自由部材と第２腕部との関係における、第２自由部材の可動についても適用できる。
【００７３】
さらに、図１〜図４の髪留め具１Ａ，図５〜図８の髪留め具１Ｂに示されるように、第１腕部５と第１自由部材７とが湾曲した部材であり、第１自由部材７が、湾曲した第１腕部５とは反対側に湾曲するように配置されていることも好ましい形態の一つである。すなわち、第１腕部５が第２挟持部１３側に向けて湾曲した部材であり、第１自由部材７が湾曲した部材であり、第１自由部材７は、湾曲した第１腕部５とは反対側に湾曲するように配置されていることも好ましい形態の一つである。
【００７４】
このように、第１腕部５が湾曲した部材であり且つ第１自由部材７が湾曲した第１腕部５とは反対側に湾曲するものであると、髪の毛を挟み込んだ際に、第１腕部５と第１自由部材７とが協働して緩衝部材としての機能をより発揮する。そのため、髪の毛を挟み込んだ際に、第１腕部５に対して第１自由部材７は湾曲方向が異なる。そのため、第１自由部材７及び第１腕部は、湾曲しやすくなり、髪の毛から付与された力（応力）を減衰させやすくなる。したがって、第１腕部と第１自由部材が緩衝部材となり、更に言えば板バネ部材のように作用し、髪にダメージを与えない適度な力で挟み込むことができる。
【００７５】
なお、この「湾曲」は、例えば、弧を描く形状（アーチ状）のものに限定されず、複数の段部が全体として弧を描くものとして形成されているものも含まれる。また、複数の偏極部を有するものが全体として弧を描くものとして形成されているもの等も含まれる。
【００７６】
さらに、図１〜図４の髪留め具１Ａ、図５〜図８の髪留め具１Ｂに示されるように、第１腕部５が、湾曲した棒状の部材であり且つ第１自由部材７が、湾曲した板状の部材であり、第１自由部材７は、湾曲した第１腕部５とは反対側に湾曲するように配置されていることも好ましい形態の一つである。第１腕部５が、湾曲した棒状の部材であり且つ第１自由部材が湾曲した棒状の部材であると、髪の毛を挟み込んだ際に、第１腕部と第１自由部材とが協働して、確実にバネ部材として機能を果たすことができる。
【００７７】
なお、上記「棒状の部材」には、単に細長い円柱状部材や柱形状の部材に限らず、細長い板状部材等も含まれる。更には、第１腕部５に対して幅狭な部材である場合も該当する。
【００７８】
［１−２］第２挟持部：
第２挟持部は、図１〜図１７に示される髪留め具１のように、ヒンジ部２１によって開閉自在に第１挟持部３と連結され、この第２挟持部１３と第１挟持部３を閉じることにより髪の毛を挟むための部材として、本考案の髪留め具１を構成している。すなわち、この第２挟持部１３と、第１挟持部３は、ヒンジ部２１を軸にして回動自在に開閉するように構成されている。そして、この第２挟持部１３と第１挟持部３が開いた状態で、この第２挟持部１３と第１挟持部３と間に髪の毛を入れる。そして、この第２挟持部１３と第１挟持部３が閉じて、髪の毛をその間に挟持できる（挟み込みできる）ように構成されている。さらに、この第２挟持部１３と第１挟持部３が閉じた状態から、再び、この第２挟持部１３と第１挟持部３が開いた状態にすると、髪の毛が挟持された（挟み込まれた）状態から解除（解放）されることになる。
【００７９】
第２挟持部１３は、第１挟持部３とヒンジ部２１を介して自在に開閉可能になるよう連結されている。第１挟持部３の機能を発揮させる限り、第２挟持部１３の形状等は、特に限定されるものではなく、市販されている公知の髪留め具に用いられる部材を適宜採用することができる。
【００８０】
第２挟持部１３は、図１〜図１７に示される髪留め具１のように、ヒンジ部２１が固定される第２腕部１５、及び、第２腕部１５と２回以上交差し且つ第２腕部１５に対して可動自在となるように形成された第２自由部材１７を備えることが好ましい。このように構成されることにより、本考案の髪留め具１は、第１挟持部３と第２挟持部１３を備えるため、第１挟持部３及び第２挟持部１３とが協働し、挟む髪の量がある程度多くても髪の毛を纏めることができ、さらに、挟み込む髪にダメージを与え難いものである。
【００８１】
言い換えれば、第１挟持部のみに、第１腕部に支持された第１自由部材を備える場合には、結果的に、第１挟持部における第１自由部材の可動により、挟み込む髪へのダメージを軽減させて髪の毛を纏めるような調整を行うことになる。これに対して、図１〜図１７に示される髪留め具１のように、第１挟持部３及び第１腕部５に支持された第１自由部材７と、第２挟持部１３及び第２腕部１５に支持された第２自由部材１７とを備える場合には、第１挟持部３と第２挟持部１３とにおいて、第１自由部材７及び第２自由部材１７が可動し、第１挟持部３及び第２挟持部１３の両方で、髪の毛を纏める調整が可能になり、挟み込む髪へのダメージを確実に軽減させることができる。
【００８２】
なお、第２挟持部は、第１挟持部と同じ構成を採用し、互いにヒンジ部で連結されることができる。また、第２挟持部は、第１挟持部と別の構成を採用し、ヒンジ部によって第１挟持部と連結されていてもよい。つまり、図１に示される髪留め具１Ａの第２挟持部１３と、図５に示される髪留め具１Ｂの第２挟持部１３をヒンジ部で連結したもの等で髪留め具を構成してもよい。ただし、この例に限定されるものではない。
【００８３】
さらに、第１挟持部が備える第１腕部及び第１自由部材と同様に、第２挟持部は、第２腕部及び第２自由部材を備えていることが好ましい。第２腕部には、上述の第１腕部と同じものが適用でき、第２自由部材には、上述の第１自由部材と同じものが適用できる。そのため、以下では簡単に説明するに留め、詳細については、第１腕部の説明を参照されたい。
【００８４】
［１−２−１］第２腕部：
第２腕部は、図１〜図１７に示される髪留め具のように、第２挟持部１３を構成する部材の一つであり、ヒンジ部２１で第１挟持部３と開閉自在に固定される部材である。この第２腕部は第２自由部材と２回以上交差するように構成されている。そして、この第２腕部１５は、第２自由部材１７に対し支持部材としての役割を果たしている。
【００８５】
なお、第２腕部は、第１腕部と同様の構成を備えることが好ましく、第１腕部と同様の構成を適用できる。そのため、ここでは説明を省略する。詳細については、第１腕部の説明を参照されたい。
【００８６】
［１−２−１−１］第２腕部貫通孔：
さらに、図５〜図８に示される髪留め具１Ｂのように、第２腕部１５には、２つの第２腕部貫通孔１５ａ，１５ａが形成され、第２腕部貫通孔１５ａ，１５ａに第２自由部材１７の一方の端部及び他方の端部がそれぞれ挿通されていることが好ましい。このように構成されることにより、この第２自由部材１７の一方の端部及び他方の端部の所定箇所が、この第２腕部貫通孔１５ａ，１５ａを形成する周縁に、接触（当接）しやすくなる。そのため、この接触（当接）により、第２自由部材の可動をコントロールしやすくなる。その結果、挟む髪の量に関わらずに髪の毛を確実に纏めながら、挟み込む髪へのダメージを最小限に軽減させることができる。
【００８７】
なお、第２腕部貫通孔は、第１腕部貫通孔と同様の構成を備え、第１腕部貫通孔と同様の構成を適用できる。そのため、ここでは説明を省略する。詳細については、第１腕部貫通孔の説明を参照されたい。
【００８８】
［１−２−２］第２自由部材：
第２自由部材１７は、図１〜図１７の髪留め具１に示されるように、第２挟持部１３を構成する部材の一つであり、第２腕部１５に対して２回以上交差し、且つ可動自在になるように配置された部材である。すなわち、この第２自由部材１７は、支持部材である第２腕部１５に可動自在に支えられる部材であり、この第２自由部材１７が可動することにより、挟む髪の量に関わらずに髪の毛を纏めることができる。さらに、第２自由部材１７は、挟み込む髪にダメージを与えない役割を果たすものである。
【００８９】
なお、第２自由部材は、第１自由部材と同様の構成を備え、第１自由部材と同様の構成を適用できる。そのため、ここでは説明を省略する。詳細については、第１自由部材の説明を参照されたい。
【００９０】
［１−２−２−１］第２自由部材貫通孔：
さらに、第２自由部材１７には、図１〜図４に示される髪留め具１Ａのように、２つの第２自由部材貫通孔１７ａ，１７ａが形成され、第２自由部材貫通孔１７ａの両方に第２腕部１５が挿通されていることも好ましい形態の一つである。このように構成されることにより、第２自由部材貫通孔１７ａを形成する周縁に、第２腕部１５の所定箇所が接触（当接）しやすくなる。そのため、この接触（当接）により、第２自由部材１７の可動をコントロールしやすくなる。その結果、挟む髪の量に関わらずに髪の毛を確実に纏めながら、挟み込む髪へのダメージを最小限に軽減させることができる。
【００９１】
なお、第２腕部貫通孔は、第１腕部貫通孔と同様の構成を備え、第１腕部貫通孔と同様の構成を適用できる。そのため、ここでは説明を省略する。詳細については、第１腕部貫通孔の説明を参照されたい。
【００９２】
［１−２−３］第２腕部及び第２自由部材のその他の構成：
さらに、図１〜図４の髪留め具１Ａ，図５〜図８の髪留め具１Ｂに示されるように、第２腕部１５及び第２自由部材１７が湾曲した部材であり、第２自由部材１７は、湾曲した第２腕部１５とは反対側に湾曲するように配置されていることも好ましい形態の一つである。
【００９３】
さらに、図１〜図４の髪留め具１Ａ、図５〜図８の髪留め具１Ｂに示されるように、第２腕部１５が、湾曲した棒状の部材であり、第２自由部材１７が、湾曲した板状の部材であり、第２自由部材１７は、湾曲した第２腕部１５とは反対側に湾曲するように配置されていることも好ましい形態の一つである。第２腕部１５が、湾曲した棒状の部材であり、第２自由部材１７が湾曲した棒状の部材であると、髪の毛を挟み込んだ際に、第２腕部１５と第２自由部材１７とが協働して、確実にバネ部材として機能を果たすことができる。
【００９４】
なお、この「第２腕部及び第２自由部材のその他の構成」における内容では、上述した「第１腕部及び第１自由部材のその他の構成」における内容を適宜採用できる。そのため、ここでは説明を省略する。詳細については、上述した「第１腕部及び第１自由部材のその他の構成」の説明を参照されたい。
【００９５】
［１−３］ヒンジ部：
本考案における髪留め具１のヒンジ部２１は、図１〜図１７に示される髪留め具１のように、第１挟持部３と第２挟持部１３の一方の端部に配設される部材であり、第１挟持部３と第２挟持部１３を自在に開閉可能となるようにする部材である。
【００９６】
このヒンジ部の材質、形態等は、特に制限されるものではなく、一般的に市販されているものや、公知の形態からなるヒンジ部を用いることができる。
【００９７】
［１−４］その他の構成：
（固定部）
本考案における髪留め具１の固定部２３は、第１挟持部３と第２挟持部１３を解除可能に固定する部材であり、固定時には、第１挟持部３と第２挟持部１３との間に挟み込んで纏めた髪の毛を、この第１挟持部３と第２挟持部１３との間に保持することができる。すなわち、本考案の髪留め具１において固定部２３は、使用者の意志で、纏めた髪の毛を第１挟持部３と第２挟持部１３との間から解放自在にできる程度に固定するものである。
【００９８】
具体的には、第１挟持部３と第２挟持部１３を接続するために設けられているヒンジ部２１とは反対側の、第１挟持部３及び第２挟持部１３のそれぞれの端部にこの固定部２３の部材が設けられている。さらに、この固定部２３は、第１挟持部３及び第２挟持部１３のそれぞれの端部に設けられた固定部２３の各部材が一体となって固定され、この固定部２３の各部材の一体が解除された際に、この固定が解除されることになる。
【００９９】
より具体的には、固定部の各部材として第１挟持部及び第２挟持部のそれぞれに係止部が設けられ、この係止部が互いに交差して接触することで、係止めができる（固定可能な）固定部を例示できる。
【０１００】
ただし、上記の例に限定されるものではなく、解除可能に固定できるものであれば、ホック等の構造からなる部材のそれぞれを第１挟持部及び第２挟持部に配置する等してもよい。
【０１０１】
（脱落防止部材）
なお、第１自由部材、第２自由部材の脱落を防止するための脱落防止部材を第１自由部材、第２自由部材、第１腕部、第２腕部にそれぞれ適宜設けてもよい。このような脱落防止部材を設ける場合には、第１自由部材及び第２自由部材の可動が十分に行えるように設けることが好ましい。
【０１０２】
脱落防止部材としては、凸部や段部等を設けるもの等が例示できるが、この例に限定されるものではない。
【０１０３】
（本考案の髪留め具の使用方法）
図１〜図１７に示される髪留め具１において、第１挟持部３及び第２挟持部１３を開き、この第１挟持部３及び第２挟持部１３間に、挟み込みたい頭部の所定箇所の髪の毛を入れ、固定部を係止めして髪を纏める。
【０１０４】
図１〜図１７では、第１挟持部３及び第２挟持部１３のそれぞれに第１自由部材７、第２自由部材１７が配設されていることから、髪の毛のボリュームがある程度あっても、第１自由部材７及び第２自由部材１７が第１腕部５及び第２腕部１５側に可動して（スライドしたり曲がったりして）、第１挟持部３と第２挟持部１３との間（第１自由部材７と第２自由部材１７との間）が広がる。さらに、第１腕部５と第１自由部材７とが緩衝して（さらに、第２腕部と第２自由部材１７とが緩衝して）、纏めた際の髪の毛へのダメージを軽減させることができる。
【０１０５】
このようにして、髪の毛を取り纏めすることができる。さらに、髪留め具を髪の毛から取り外した場合には、固定部２３の係留めを解除し、髪の毛を第１挟持部３及び第２挟持部１３から外すことができる。
【産業上の利用可能性】
【０１０６】
本考案の髪留め具は、髪の毛を纏めるための髪留め具であり、ダメージを軽減しながらボリュームある髪の毛を纏めることができる。
【符号の説明】
【０１０７】
１，１Ａ，１Ｂ，１Ｃ，１Ｄ，１Ｆ：髪留め具、３：第１挟持部、５：第１腕部、５ａ：第１腕部貫通孔、５ｂ：第１腕部リング状部、７：第１自由部材、７ａ：第１自由部材貫通孔、７ｂ：第１自由部材リング状部、１３：第２挟持部、１５：第２腕部、１５ａ：第２腕部貫通孔、１７：第２自由部材、１７ａ：第２自由部材貫通孔、２１：ヒンジ部、２３：固定部。
【図１】
0003197882.tif 000003
【図２】
0003197882.tif 000004
【図３】
0003197882.tif 000005
【図４】
0003197882.tif 000006
【図５】
0003197882.tif 000007
【図６】
0003197882.tif 000008
【図７】
0003197882.tif 000009
【図８】
0003197882.tif 000010
【図９】
0003197882.tif 000011
【図１０】
0003197882.tif 000012
【図１１】
0003197882.tif 000013
【図１２】
0003197882.tif 000014
【図１３】
0003197882.tif 000015
【図１４】
0003197882.tif 000016
【図１５】
0003197882.tif 000017
【図１６】
0003197882.tif 000018
【図１７】
0003197882.tif 000019